(57)【要約】【課題】姿勢安定機能を有する背もたれを便蓋及び便座の回動と干渉しないように設けると共に、不使用時には背もたれが便器の外方に張り出さないようにした洋式トイレ用手摺を提供する。【解決手段】便蓋２を備えた洋式便器１の後部側の左右両側に起立する支柱部材２１の上部に肘掛け用の手摺部材２４を設け、連結部材２５によって両支柱部材２１を左右方向に連結してなる手摺本体２０と、該手摺本体を洋式便器に固定する固定部材３０とを備えた洋式トイレ用手摺において、手摺本体の支柱部材の上部に、洋式便器の前方側に回動可能な背もたれ４０を設け、該背もたれは、使用時には洋式便器の後方側に位置し、不使用時には便蓋の回動軌跡外の洋式便器の側部上方の前方側に位置するように形成する。【選択図】図２
2015073582.tif 000002
【特許請求の範囲】
【請求項１】
洋式便器の後部側の左右両側に起立する支柱部材の上部に肘掛け用の手摺部材を設け、連結部材によって上記両支柱部材を左右方向に連結してなる手摺本体と、該手摺本体を上記洋式便器に固定する固定部材とを備えた洋式トイレ用手摺であって、
上記手摺本体の上記支柱部材の上部に、上記洋式便器の前方側に回動可能な背もたれを設け、該背もたれは、使用時には上記洋式便器の後方側に位置し、不使用時には上記便蓋の回動軌跡外の上記洋式便器の側部上方の前方側に位置するように形成してなる、ことを特徴とする洋式トイレ用手摺。
【請求項２】
請求項１に記載の洋式トイレ用手摺において、
上記背もたれは、上記両支柱部材の上部にそれぞれ設けられる背もたれ半体にて形成されると共に、使用時には上記背もたれ半体の回動先端部間に隙間が形成される、ことを特徴とする洋式トイレ用手摺。
【請求項３】
請求項１又は２に記載の洋式トイレ用手摺において、
上記背もたれは、使用状態において鉛直に対して後方に上向きに傾斜状に形成されている、ことを特徴とする洋式トイレ用手摺。
【請求項４】
請求項１に記載の洋式トイレ用手摺において、
上記背もたれは、上記支柱部材の一方に設けられ、使用時において中間部が後方側に屈曲状に形成されると共に、鉛直に対して後方に上向きに傾斜状に形成されている、ことを特徴とする洋式トイレ用手摺。
【発明の詳細な説明】
【技術分野】
【０００１】
この発明は、便蓋を備える洋式便器に設置される、肘掛け用の手摺部材と背もたれを備える洋式トイレ用手摺に関するものである。
【背景技術】
【０００２】
従来、要介護者や高齢者を抱えた一般家庭のトイレにおいて、着座姿勢の安定補助や立ち座り時の補助のために、肘掛け用の手摺部を設置することがある。また、要介護者や高齢者の身体の負担を軽減するために、姿勢安定機能を有する背もたれを設けることがある。
【０００３】
肘掛け用手摺部と背もたれを備えたトイレ用手摺においては、見栄えや衛生面等で便蓋を備えた便器においては、便蓋を回動する際に背もたれが干渉しないように工夫する必要があり、便蓋の回動する際に背もたれが干渉しない構造として、特許文献１に記載の構造のものが知られている。
【０００４】
特許文献１に記載の構造は、便器の両側端部より上方に向けて突設される支持腕の上端部に、アームレスト部及びアームレスト部の後端部から略直角に突出する背もたれ部からなる略Ｌ字状の可動部材をアームレスト部の長手方向廻りに回動自在に設けた構造である。
【先行技術文献】
【特許文献】
【０００５】
【特許文献１】特許第４２５４３４８号公報（特許請求の範囲、図９，図１０）
【発明の概要】
【発明が解決しようとする課題】
【０００６】
しかしながら、特許文献１に記載の発明においては、アームレスト部及びアームレスト部の後端部から略直角に突出する背もたれ部からなる略Ｌ字状の可動部材をアームレスト部の長手方向廻りに回動することによって、背もたれ部を鉛直方向に回動して水平状態の使用位置と、便蓋の回動に干渉しない上方に起立した不使用位置に切り換える構造であるため、背もたれの切換動作に力を要する懸念がある。また、背もたれ部は不使用時には上方に起立した状態となるため、狭いトイレ空間においては、背もたれ部の大きさすなわち背もたれ面積に制約があり、背もたれに面積をもたせることができず、背もたれの姿勢安定機能が充分に図れない懸念がある。
【０００７】
この発明は、上記事情に鑑みてなされたもので、姿勢安定機能を有する背もたれを便蓋及び便座の回動と干渉しないように設けると共に、不使用時には背もたれが便器の外方に張り出さないようにした洋式トイレ用手摺を提供する。
【課題を解決するための手段】
【０００８】
上記課題を解決するため、この発明の洋式トイレ用手摺は、洋式便器の後部側の左右両側に起立する支柱部材の上部に肘掛け用の手摺部材を設け、連結部材によって上記両支柱部材を左右方向に連結してなる手摺本体と、該手摺本体を上記洋式便器に固定する固定部材とを備えた洋式トイレ用手摺であって、  上記手摺本体の上記支柱部材の上部に、上記洋式便器の前方側に回動可能な背もたれを設け、該背もたれは、使用時には上記洋式便器の後方側に位置し、不使用時には上記便蓋の回動軌跡外の上記洋式便器の側部上方の前方側に位置するように形成してなる、ことを特徴とする（請求項１）。
【０００９】
このように構成することにより、背もたれを便蓋の回動軌跡外の洋式便器の側部上方の前方側に位置することで、便蓋の回動の際に便蓋との干渉を回避することができると共に、背もたれが洋式便器の外方への張り出しを抑制することができる。
【００１０】
請求項１に記載の洋式トイレ用手摺において、上記背もたれは、上記両支柱部材の上部にそれぞれ設けられる背もたれ半体にて形成されると共に、使用時には上記背もたれ半体の回動先端部間に隙間が形成されるのが好ましい（請求項２）。
【００１１】
このように構成することにより、背もたれ半体の回動先端部間に形成される隙間によって、使用者に対する背もたれの圧迫感を緩和することができる。
【００１２】
請求項１又は２に記載の洋式トイレ用手摺において、上記背もたれは、使用状態において鉛直に対して後方に上向きに傾斜状に形成されているのが好ましい（請求項３）。
【００１３】
このように構成することにより、背もたれの圧迫感を緩和すると共に、姿勢安定機能を更に向上させることができる。
【００１４】
請求項４に記載の洋式トイレ用手摺は、請求項１に記載の洋式トイレ用手摺において、上記背もたれは、上記支柱部材の一方に設けられ、使用時において中間部が後方側に屈曲状に形成されると共に、鉛直に対して後方に上向きに傾斜状に形成されている、ことを特徴とする。
【００１５】
このように構成することにより、一方の支柱部材の上部に回動可能に設けられた背もたれを便蓋の回動軌跡外の洋式便器の側部上方の前方側に位置することで、便蓋の回動の際に便蓋との干渉を回避することができると共に、背もたれが洋式便器の外方への張り出しを抑制することができる。また、背もたれを使用時において中間部が後方側に屈曲状に形成することにより、使用者に対する背もたれの圧迫感を緩和することができる。更に、背もたれを使用時において鉛直に対して後方に上向きに傾斜状に形成することにより、背もたれの姿勢安定機能を更に向上させることができる。
【発明の効果】
【００１６】
この発明によれば、上記のように構成されているので、便蓋の回動の際に便蓋との干渉を回避することができると共に、背もたれが洋式便器の外方への張り出しを抑制することができる。したがって、狭いトイレ空間に設置される便蓋を備える洋式便器においても、便蓋の回動の際に干渉を回避する背もたれを設けることができる。
【図面の簡単な説明】
【００１７】
【図１】この発明に係る洋式トイレ用手摺の第１実施形態の使用状態を示す斜視図である。
【図２】上記洋式トイレ用手摺の使用状態の全体を示す斜視図である。
【図３】上記洋式トイレ用手摺における手摺部を起立した状態の全体を示す斜視図である。
【図４】上記洋式トイレ用手摺の不使用状態の全体を示す斜視図である。
【図５】上記洋式トイレ用手摺の使用状態を示す側面図である。
【図６】この発明における手摺部の回動状態を示す要部断面図である。
【図７】この発明における背もたれの回動状態を示す要部断面図である。
【図８】この発明に係る洋式トイレ用手摺の第２実施形態の使用状態の全体を示す斜視図である。
【図９】第２実施形態の洋式トイレ用手摺の不使用状態の全体を示す斜視図である。
【発明を実施するための形態】
【００１８】
以下に、この発明に係る洋式トイレ用手摺について、添付図面を参照して詳細に説明する。
【００１９】
＜第１実施形態＞
この発明に係る洋式トイレ用手摺１０は、図１ないし図５に示すように、便蓋２を回動可能に備えた洋式便器１（以下に便器１という）の後部側の左右両側に起立する支柱部材２１の上部に肘掛け用の手摺部材２４を設け、連結部材２５によって両支柱部材２１を左右方向に連結してなる手摺本体２０と、該手摺本体２０を便器１に固定する固定部材３０と、手摺本体２０の支柱部材２１の上部に、便器１の前方側に回動可能な背もたれ４０と、を具備している。
【００２０】
上記手摺本体２０を構成する支柱部材２１は、床部に設置されるベース部材２６に立設固定される矩形筒状の下部支柱部材２２と、該下部支柱部材２２に中空部内に摺動自在に挿入される矩形筒状の上部支柱部材２３とで構成されている。支柱部材２１は、下部支柱部材２２の一側壁に設けられたナットが溶接されたねじ孔（図示せず）に螺合する高さ調整用固定ねじ２２ｂを、上部支柱部材２３に設けられた複数の貫通孔２２ａの任意の一つに挿入することで、任意の高さ位置に段階的に調整可能になっている（図５参照）。
【００２１】
なお、ベース部材２６の長手方向の両端部の下面には高さ調整ねじ２６ａが設けられている。また、ベース部材２６の長手方向の一端側（便器１の後方側）には上下に貫通する貫通孔（図示せず）が設けられており、この貫通孔の上端開口部にキャップ２６ｂが被着されている。
【００２２】
連結部材２５は、便器１の前方壁に当接する円弧状屈曲部２５ａを有する略Ｖ字状の連結部材本体２５ｂに、両端部を残して例えば発泡ウレタン製のクッション材２５ｃを被覆してなり、両端部に接続プレート２７が突設されている。
【００２３】
このように構成される連結部材２５は、下部支柱部材２２に突設されたブラケット２８に設けられた位置調整用の複数の取付孔２８ａの任意の一つを貫通する連結ねじ２８ｂを接続プレート２７にねじ固定することで、左右の支柱部材２１に連結されて、手摺本体２０を構成する。この場合、連結ねじ２８ｂの位置を調整することで、異なる大きさの便器１に対応して連結部材２５を便器１の前方壁に当接することができる。
【００２４】
上記のように構成される手摺本体２０は、上記ブラケット２８に設けられた貫通孔に連通する雌ねじ部材（図示せず）を螺挿する固定部材である固定ねじ３０を便器１の側壁面に押圧することで、便器１に固定される。なお、手摺本体２０の設置を強固にするには、ベース部材２６に設けられた貫通孔を挿通するアンカーボルトを床部に固定すればよい。
【００２５】
肘掛け用の手摺部材２４は、一端が上部支柱部材２３に回動可能に取り付けられる手摺基部２４ａと、手摺基部２４ａの上面における一端近傍から回動先端側に向かって取り付けられる肘掛け用部材２４ｂとで構成されている。
【００２６】
この場合、図６に示すように、手摺部材２４の一端部に設けられた円柱状の取付部５０に、該取付部５０の中心点に関して対向する部位に位置規制用の凸部５１を有する取付孔５２が設けられている。一方、上部支柱部材２３の上部側面には円形基部５３の対向する両端に一対の係止突起５４を有する軸部５５が固定ねじ５６によって突設されている。取付部５０の取付孔５２を軸部５５に係合させることで、手摺部材２４が支柱部材２１に回動可能に、すなわち係止突起５４が位置規制用の凸部５１に当接して規制される水平位置（使用位置）と鉛直位置（不使用位置）の範囲に回動可能に取り付けられる。なお、取付部５０の外方側端部にはキャップ５７が被着されて固定ねじ５６が外部から目隠しされている。
【００２７】
背もたれ４０は、両支柱部材２１（具体的には、上部支柱部材２３）の上部にそれぞれ回動可能に取り付けられる背もたれ半体４１にて形成されており、使用時には便器１の後方側に位置し、不使用時には便蓋２の回動軌跡外の便器１の側部上方の前方側に位置するように形成されている。この場合、使用時には背もたれ半体４１の回動先端部間に隙間４２が形成され、また、背もたれ半体４１は、使用状態において鉛直に対して後方に上向きに傾斜状に形成されている。
【００２８】
この場合、図７に示すように、背もたれ半体４１の一端部に設けられた円柱状の取付部５０Ａに、該取付部５０Ａの中心点に関して対向する部位に位置規制用の凸部５１Ａを有する取付孔５２Ａが設けられている。一方、上部支柱部材２３の上端部には円形基部５３Ａの対向する両端に一対の係止突起５４Ａを有する軸部５５Ａが固定ねじ５６Ａによって突設されている。取付部５０Ａの取付孔５２Ａを軸部５５Ａに係合させることで、背もたれ半体４１が支柱部材２１に回動可能に、すなわち係止突起５４が位置規制用の凸部５１に当接して規制される便器１の後方側位置（使用位置）と便器１の側部上方の前方側位置（不使用位置）の範囲に回動可能に取り付けられる。なお、取付部５０Ａの上端部にはキャップ５７Ａが被着されて固定ねじ５６Ａが外部から目隠しされている。
【００２９】
上記のように構成される第１実施形態の洋式トイレ用手摺１０は、不使用時には、図４に示すように、手摺部材２４が支柱部材２１の上方に起立しており、背もたれ半体４１は、便蓋２の回動軌跡外の便器１の側部上方の前方側に位置している。使用時には、不使用時の状態で便蓋２を回動して背もたれ半体４１と干渉せずに便器１を開放状態にした後、図１，図２に示すように、手摺部材２４を回動して水平位置にし、背もたれ半体４１を回動して便器１の後方側に位置する。また、使用後は、手摺部材２４を回動して支柱部材２１の上方に起立し、背もたれ半体４１を回動して便蓋２の回動軌跡外の便器１の側部上方の前方側に位置した状態で、便蓋２を回動して背もたれ半体４１と干渉せずに便器１の開放部を閉じることができる。
【００３０】
上記のように構成される第１実施形態の洋式トイレ用手摺１０によれば、背もたれ半体４１を便蓋の回動軌跡外の便器１の側部上方の前方側に位置することで、便蓋２の回動の際に便蓋２との干渉を回避することができると共に、背もたれ半体４１が便器の外方への張り出しを抑制することができる。したがって、狭いトイレ空間に容易に設置することができる。
【００３１】
また、背もたれ半体４１の回動先端部間に形成される隙間４２によって、使用者に対する背もたれ４０の圧迫感を緩和することができる。
【００３２】
更に、背もたれ半体４１は、使用状態において鉛直に対して後方に上向きに傾斜状に形成されているので、背もたれ４０の姿勢安定機能を向上させることができる。
【００３３】
＜第２実施形態＞
次に、図８及び図９を参照して第２実施形態の洋式トイレ用手摺について説明する。なお、第２実施形態において、第１実施形態と同じ部分には同一符号を付して説明は省略する。
【００３４】
第２実施形態の洋式トイレ用手摺１０Ａは、一方の支柱部材２１の上部に回動可能に設けられる一つの背もたれ４０Ａを具備している。この場合、背もたれ４０Ａは、使用時において中間部が後方側に屈曲状に形成されると共に、鉛直に対して後方に上向きに傾斜状に形成されている。
【００３５】
なお、背もたれ４０Ａの回動部の構造は、第１実施形態と同様に形成されている。すなわち、図７に示すように、背もたれ半体４１の一端部に設けられた円柱状の取付部５０Ａに、該取付部５０Ａの中心点に関して対向する部位に位置規制用の凸部５１Ａを有する取付孔５２Ａが設けられている。一方、上部支柱部材２３の上端部には円形基部５３Ａの対向する両端に一対の係止突起５４Ａを有する軸部５５Ａが溶接等によって突設されている。取付部５０Ａの取付孔５２Ａを軸部５５Ａに係合させることで、背もたれ４０Ａが支柱部材２１に回動可能に、すなわち係止突起５４が位置規制用の凸部５１に当接して規制される便器１の後方側位置（使用位置）と便器１の側部上方の前方側位置（不使用位置）の範囲に回動可能に取り付けられる。
【００３６】
上記のように構成される第２実施形態の洋式トイレ用手摺１０Ａは、不使用時には、図９に示すように、手摺部材２４が支柱部材２１の上方に起立しており、背もたれ４０Ａは、便蓋２の回動軌跡外の便器１の側部上方の前方側に位置している。使用時には、不使用時の状態で便蓋２を回動して背もたれ４０Ａと干渉せずに便器１を開放状態にした後、図８に示すように、手摺部材２４を回動して水平位置にし、背もたれ４０Ａを回動して便器１の後方側に位置する。また、使用後は、手摺部材２４を回動して支柱部材２１の上方に起立し、背もたれ４０Ａを回動して便蓋２の回動軌跡外の便器１の側部上方の前方側に位置した状態で、便蓋２を回動して背もたれ４０Ａと干渉せずに便器１の開放部を閉じることができる。
【００３７】
上記のように構成される第２実施形態の洋式トイレ用手摺１０によれば、背もたれ４０Ａを便蓋の回動軌跡外の便器１の側部上方の前方側に位置することで、便蓋２の回動の際に便蓋２との干渉を回避することができると共に、背もたれ４０Ａが便器の外方への張り出しを抑制することができる。したがって、狭いトイレ空間に容易に設置することができる。
【００３８】
また、背もたれ４０Ａは、使用時において中間部が後方側に屈曲状に形成されているので、使用者に対する背もたれ４０の圧迫感を緩和することができる。
【００３９】
更に、背もたれ４０Ａは、使用状態において鉛直に対して後方に上向きに傾斜状に形成されているので、背もたれ４０の姿勢安定機能を向上させることができる。
【００４０】
なお、上記実施形態では、背もたれ４０，４０Ａを便蓋２の回動と干渉しないように設ける場合について説明したが、背もたれ４０，４０Ａは、便蓋２と便座（図示せず）の回動と干渉しないように設けられていることは勿論である。したがって、この発明に係る洋式トイレ用手摺は、便蓋２を備えない便器１にも適用することができる。
【符号の説明】
【００４１】
１  洋式便器
２  便蓋
１０，１０Ａ  洋式トイレ用手摺
２０  手摺本体
２１  支柱部材
２４  手摺部材
２５  連結部材
３０  固定ねじ（固定部材）
４０，４０Ａ  背もたれ
４１  背もたれ半体
４２  隙間
【図１】
2015073582.tif 000003
【図２】
2015073582.tif 000004
【図３】
2015073582.tif 000005
【図４】
2015073582.tif 000006
【図５】
2015073582.tif 000007
【図６】
2015073582.tif 000008
【図７】
2015073582.tif 000009
【図８】
2015073582.tif 000010
【図９】
2015073582.tif 000011